(57)【要約】  空気調和装置の室外機の底面パネルは、室外機の下面を構成する底面部と、底面部の周縁部から底面部と交差する方向に延びる側壁部と、底面部と側壁部との間に設けられた熱交換器載置台とを備え、熱交換器載置台は、側壁部に沿って延在する第１排水溝と、第１排水溝と連通し、側壁部から離れる方向に延在する第２排水溝とを有し、第２排水溝の底部は、側壁部から離れる方向において、底面部に向かって傾斜している。また、空気調和装置の室外機は、上述の底面パネルと、上述の熱交換器載置台に載置された熱交換器とを備える。
2020157959.tif 000002
【特許請求の範囲】
【請求項１】
空気調和装置の室外機の底面パネルであって、
前記室外機の下面を構成する底面部と、
前記底面部の周縁部から前記底面部と交差する方向に延びる側壁部と、
前記底面部と前記側壁部との間に設けられた熱交換器載置台と
を備え、
前記熱交換器載置台は、
前記側壁部に沿って延在する第１排水溝と、
前記第１排水溝と連通し、前記側壁部から離れる方向に延在する第２排水溝と
を有し、
前記第２排水溝の底部は、前記側壁部から離れる方向において、前記底面部に向かって傾斜している
底面パネル。
【請求項２】
前記第２排水溝の底部の幅は、前記側壁部から離れる方向に向けて大きくなる
請求項１に記載の底面パネル。
【請求項３】
前記底面部に対し垂直な断面における、前記底面部に対する前記第２排水溝の底部の傾斜角は、５度より大きい
請求項１又は２に記載の底面パネル。
【請求項４】
前記底面部を貫通した排水穴と、
前記底面部のうち、前記熱交換器載置台の周囲に形成され、前記排水穴の方向に傾斜し、前記第１排水溝及び前記第２排水溝と連通した排水路と
を有するドレンパン部を備えた
請求項１〜３のいずれか一項に記載の底面パネル。
【請求項５】
請求項１〜４のいずれか一項に記載の底面パネルと、
前記底面パネルの前記熱交換器載置台に載置された熱交換器と
を備えた
空気調和装置の室外機。
【発明の詳細な説明】
【技術分野】
【０００１】
本発明は、熱交換器載置台を有する底面パネル、及び当該底面パネルを有する空気調和装置の室外機に関する。
【背景技術】
【０００２】
特許文献１には、熱交換器載置台を有する底面パネルを備えた空気調和装置の室外機が開示されている。特許文献１の底面パネルでは、室外機の内部、特に熱交換器で発生するドレン水を排出する排水経路の一部が、底面パネルの周縁に設けられた側壁部に沿うように熱交換器載置台の上部に形成されている。
【先行技術文献】
【特許文献】
【０００３】
【特許文献１】特開２０１４−０９８５１２号公報
【発明の概要】
【発明が解決しようとする課題】
【０００４】
しかしながら、空気調和装置の設置環境によっては、室外機が傾斜面に据え付けられる場合がある。特に、室外機が傾斜面に据え付けられ、底面パネルにおいて、熱交換器載置台が傾斜の下側にある場合、熱交換器載置台の排水経路のドレン水が、熱交換器載置台の側壁部の側に滞留することとなる。熱交換器載置台の側壁部の側に滞留したドレン水が凍結すると、ドレン水が凍結した氷が熱交換器載置台に形成され、当該氷の形成より、熱交換器載置台に載置された熱交換器に圧力が印加される。したがって、特許文献１の底面パネルでは、熱交換器の耐久性を確保できない可能性があった。【０００５】
本発明は、上述の課題を解決するものであり、熱交換器の耐久性を確保可能な底面パネル及び空気調和装置の室外機を提供することを目的とする。
【課題を解決するための手段】
【０００６】
本発明の底面パネルは、空気調和装置の室外機の底面パネルであって、前記室外機の下面を構成する底面部と、前記底面部の周縁部から前記底面部と交差する方向に延びる側壁部と、前記底面部と前記側壁部との間に設けられた熱交換器載置台とを備え、前記熱交換器載置台は、前記側壁部に沿って延在する第１排水溝と、前記第１排水溝と連通し、前記側壁部から離れる方向に延在する第２排水溝とを有し、前記第２排水溝の底部は、前記側壁部から離れる方向において、前記底面部に向かって傾斜している。【０００７】
また、本発明の空気調和装置の室外機は、上述の底面パネルと、前記底面パネルの前記熱交換器載置台に載置された熱交換器とを備える。
【発明の効果】
【０００８】
本発明では、第２排水溝を有することにより、側壁部に沿って延在する第１排水溝のドレン水を、第２排水溝を介して、側壁部から離れる方向に排水できる。したがって、本発明では、熱交換器載置台の側壁部の側にドレン水が滞留することを防ぐことができる。よって、上述の構成によれば、ドレン水が凍結した氷が、熱交換器載置台に形成されるのを防ぐことができるため、熱交換器の耐久性を確保可能な底面パネル及び空気調和装置の室外機を提供できる。
【図面の簡単な説明】
【０００９】
【図１】本発明の実施の形態１に係る空気調和機の室外機の構造の一例を概略的に示した分解斜視図である。
【図２】本発明の実施の形態１に係る底面パネルの構造の一例を概略的に示した斜視図である。
【図３】本発明の実施の形態１に係る底面パネルの構造の一例を概略的に示した上面図である。
【図４】図３の領域Ａにおける熱交換器載置台を概略的に示した拡大斜視図である。
【図５】図４の熱交換器載置台を概略的に示した拡大上面図である。
【図６】図５の熱交換器載置台のＡ−Ａ断面を概略的に示した断面図である。
【図７】図５の熱交換器載置台のＡ−Ａ断面の変形例を概略的に示した断面図である。
【図８】本発明の実施の形態２に係る底面パネルにおける熱交換器載置台の構造を概略的に示した拡大斜視図である。
【図９】本発明の実施の形態２に係る底面パネルにおける熱交換器載置台の構造を概略的に示した拡大上面図である。
【発明を実施するための形態】
【００１０】
実施の形態１．
本発明の実施の形態１に係る空気調和機の室外機１００の構造について説明する。図１は、本実施の形態１に係る空気調和機の室外機１００の構造の一例を概略的に示した分解斜視図である。なお、図１では、室外機１００は床置型ユニットとしているが、例えば、壁付型ユニット、屋根置型ユニット、又は天井吊型ユニットとしてもよい。
【００１１】
図１を含む以下の図面においては、室外機１００の各構成部材の寸法の関係及び形状は、実際のものとは異なる場合がある。また、図１を含む以下の図面では、同一の部材若しくは部分又は類似する部材若しくは部分には、同一の符号を付すか、又は符号を付すことを省略している。また、室外機１００の各構成部材同士の位置関係、例えば、上下、左右、前後等の位置関係は、原則として、空気調和機の室外機１００を使用可能な状態に設置したときの位置関係とする。
【００１２】
室外機１００は、前面パネル１、側面パネル２、天面パネル３、及び底面パネル４を有している。前面パネル１、側面パネル２、天面パネル３、及び底面パネル４は、室外機１００の直方体形状の外郭の一部を構成している。
【００１３】
また、室外機１００の内部には、仕切板５が設置されている。室外機１００の内部空間は、仕切板５によって、送風機室６と機械室７とに区画されている。
【００１４】
前面パネル１は、室外機１００の前面を構成する第１側面部１ａと、室外機１００の左側面を構成する第２側面部１ｂとを有する板金パネルである。前面パネル１は、ネジ止め等により、底面パネル４に取り付けられている。
【００１５】
第１側面部１ａは、室外機１００の前面側の外部空間と、送風機室６との間を連通する排気口１ａ１を有している。また、第１側面部１ａは、第１側面部１ａの外側面に配置され、排気口１ａ１を覆うグリル１ａ３と、排気口１ａ１の周縁部から送風機室６の側に突出した周縁面を有するベルマウス１ａ４とを有している。
【００１６】
第２側面部１ｂは、室外機１００の左面側の外部空間と、送風機室６との間を連通する複数の通気口１ｂ１を有している。
【００１７】
側面パネル２は、室外機１００の右側面を構成する第３側面部２ａと、室外機１００の右側後面を構成する第４側面部２ｂとを有している。側面パネル２は、例えば、第３側面部２ａの前端部に係合穴２ａ１を設け、前面パネル１の第１側面部１ａの右端部に設けられた係合爪１ａ５と係合させることにより、前面パネル１に取り付けられる。また、側面パネル２は、ネジ止め等により、底面パネル４に取り付けられる。
【００１８】
図示しないが、第３側面部２ａは、１つ以上の開口部を有しており、例えば、室内機に接続された延長配管は、当該開口部を介して、室外機１００の内部に引き込まれる。
【００１９】
側面パネル２は、第３側面部２ａの開口部を覆う保護カバー８を有している。保護カバー８は、室外機１００の内部への塵埃又は水の浸入を防ぐとともに、保守点検時に室外機１００の内部へのアクセスを可能にするサービスパネルとして用いられる。図示しないが、保護カバー８は、１つ以上の開口部を有しており、例えば、外部電源と接続したプラグ、又は室内機に接続された延長配管は、当該開口部を介して、室外機１００の内部に引き込まれる。
【００２０】
天面パネル３は、室外機１００の上部を構成する板金パネルである。天面パネル３は、前面パネル１及び側面パネル２にネジ止め等により取り付けられる。
【００２１】
底面パネル４は、室外機１００の下面を構成し、室外機１００の内部に収容された各々の構成部品を支持する台板である。底面パネル４は複数の脚部９を有している。複数の脚部９は、底面パネル４の底面部４０に取り付けられる。複数の脚部９は、それぞれ、室外機１００を設置場所に固定するための取付穴９ａを有している。室外機１００は、例えば、ネジ止め等により、取付穴９ａを介してコンクリートブロック等に固定される。
【００２２】
仕切板５は、前面パネル１の第２側面部１ｂ及び側面パネル２の第３側面部２ａと並列に配置され、第２側面部１ｂと第３側面部２ａとの間の内部空間を、送風機室６と機械室７とに区画する板状部材である。仕切板５は、送風機室６と機械室７との間を連通する複数の通気口５ａを有している。仕切板５は、例えばネジ止め等により、底面パネル４に固定される。
【００２３】
送風機室６は、前面パネル１、天面パネル３、底面パネル４、及び仕切板５によって取り囲まれた空間である。送風機室６は、熱交換器１１と、送風ファン１３と、送風ファン１３を駆動するモータ１５と、及びモータ１５を支持するモータ取付台１７とを収容する。送風ファン１３の回転により、室外機１００の外部から熱交換器１１又は前面パネル１の第２側面部１ｂに設けられた複数の通気口１ｂ１を介して、室外機１００の外部の空気が、送風機室６に取り込まれる。また、送風ファン１３の回転により、室外機１００の内部の空気は、ベルマウス１ａ４、排気口１ａ１、及びグリル１ａ３を介して室外機１００の外部へ排気される。
【００２４】
熱交換器１１は、底面パネル４に載置されている。また、熱交換器１１は、ネジ止め等により、側面パネル２の第４側面部２ｂの左端部に固定され、室外機１００の直方体形状の外郭の一部を構成している。
【００２５】
熱交換器１１は、保有する熱エネルギーの異なる２つの流体間で熱エネルギーの移動及び交換を行う熱伝達機器である。図１に示すように、熱交換器１１は、熱交換器１１を通過する空気流と、熱交換器１１の内部を流通する冷媒との間で熱交換を行う空冷式熱交換器である。例えば、熱交換器１１は、並列に配置された複数の板状フィンと、複数の板状フィンを貫通する伝熱管とを備えるフィンアンドチューブ型熱交換器にできる。熱交換器１１をフィンアンドチューブ型熱交換器とした場合、伝熱管が底面パネル４と平行になるように底面パネル４に載置される。なお、図２においては、天面パネル３の側から見て平板形状となる熱交換器１１が例示されているが、熱交換器１１の形状はこれに限られず、天面パネル３の側から見て、Ｌ字形状であってもよいし、Ｕ字形状であってもよい。
【００２６】
送風ファン１３は、熱交換器１１及び排気口１ａ１と対面する位置に配置されており、送風ファン１３の回転軸が、排気口１ａ１の方向に向くように配置されている。送風ファン１３としては、例えば、プロペラファン等の軸流ファンが用いられる。
【００２７】
モータ取付台１７は、上下方向に延在する支持部を有している。図示しないが、支持部の上端部は、熱交換器１１との間隔が空くように、熱交換器１１の上端部に取り付けられている。また、支持部の下端部は、ネジ止め等により、底面パネル４に固定されている。モータ取付台１７の支持部の中央部には、モータ１５が支持されている。モータ１５の回転軸は、排気口１ａ１の方向に向くように配置されており、モータ１５の回転軸の先端部には、送風ファン１３の回転軸が取り付けられている。モータ１５は、電圧によって送風ファン１３の回転数を制御可能な、三相誘導モータ又はＤＣブラシレスモータとして構成される。
【００２８】
室外機１００が駆動し、送風ファン１３が回転すると、送風機室６では、室外機１００の外部から熱交換器１１及び前面パネル１の第２側面部１ｂの通気口１ｂ１を介して、外部の空気が送風機室６に誘引される。熱交換器１１では、熱交換器１１の板状フィンの間を通過する室外空気と、伝熱管を流れる冷媒との間で熱交換が行われる。熱交換器１１で熱交換された空気は、送風ファン１３の回転によって、送風機室６から、ベルマウス１ａ４、排気口１ａ１、及びグリル１ａ３を介して室外機１００の外部に排気される。
【００２９】
機械室７は、前面パネル１、側面パネル２、天面パネル３、底面パネル４、及び仕切板５によって取り囲まれた空間である。図１に示すように、機械室７は、圧縮機１９を収容する。圧縮機１９は、ネジ止め等により、底面パネル４に固定されている。また、機械室７は、例えば、熱交換器１１及び圧縮機１９とともに冷凍サイクル回路を構成する複数の冷媒配管２１を収容する。圧縮機１９は、吸入した低圧冷媒を圧縮し、高圧冷媒として吐出する流体機械である。圧縮機１９としては、例えば、ロータリ圧縮機又はスクロール圧縮機が用いられる。
【００３０】
また、室外機１００の内部には、電気品箱２３が収容されている。電気品箱２３は、送風機室６と機械室７とにまたがって配置されており、例えば、ネジ止め等により、仕切板５の上部に取り付けられている。電気品箱２３は、例えば、送風ファン１３及び圧縮機１９に電力を供給するインバータ回路等を含む複数の電子回路基板を収容している。
【００３１】
室外機１００が駆動し、送風ファン１３が回転すると、機械室７では、例えば、側面パネル２の第３側面部２ａの開口部及び保護カバー８の開口部を介して、外部の空気が機械室７の内部に誘引される。機械室７の内部に誘引された空気は、例えば、圧縮機１９から発生する熱を冷却し、機械室７から仕切板５の通気口５ａを介して送風機室６に誘引される。送風機室６に誘引された空気は、熱交換器１１で熱交換された空気と合流し、送風ファン１３によって、送風機室６から、ベルマウス１ａ４、排気口１ａ１、及びグリル１ａ３を介して室外機１００の外部に排気される。
【００３２】
次に、本実施の形態１に係る底面パネル４の構造について、図２及び図３を用いて説明する。図２は、本実施の形態１に係る底面パネル４の構造の一例を概略的に示した斜視図である。図３は、本実施の形態１に係る底面パネル４の構造の一例を概略的に示した上面図である。
【００３３】
図２及び図３に示すように、底面パネル４は、室外機１００の下面を構成する底面部４０を備えている。また、底面パネル４は、底面部４０の周縁部から底面部４０と交差する方向に延びる側壁部５０を備えている。側壁部５０は、室外機１００が設置された状態においては、室外機１００の天面パネル３の方向に突出している。また、図２に示すように、側壁部５０は複数のネジ穴５０ａを有している。複数のネジ穴５０ａは、ネジ止め等により、前面パネル１及び側面パネル２を底面パネル４に固定するものである。
【００３４】
また、底面部４０の側壁部５０に取り囲まれた面には、圧縮機取付台４３、熱交換器載置台４５、及びモータ取付台支持部４７が設けられている。圧縮機取付台４３は、底面パネル４に設けられており、ネジ止め等により、圧縮機１９の底部を固定するものである。熱交換器載置台４５は、熱交換器１１の下部を支持するものである。モータ取付台支持部４７は、ネジ止め等により、モータ取付台１７の下端部を固定するものである。
【００３５】
また、底面部４０は、ドレンパン部４９を備えており、ドレンパン部４９は、底面部４０を貫通した排水穴４９ａと、底面部４０のうち、熱交換器載置台４５の周囲に形成され、排水穴４９ａの方向に傾斜した排水路４９ｂとを有している。この構成により、底面パネル４では、熱交換器１１で発生したドレン水を、熱交換器載置台４５を介して排水路４９ｂに排水する経路を確保することができるため、ドレン水を排水穴４９ａから室外機１００の外部に排水することができる。
【００３６】
次に、熱交換器載置台４５の構造について、図４及び図５を用いて説明する。図４は、図３の領域Ａにおける熱交換器載置台４５を概略的に示した拡大斜視図である。図５は、図４の熱交換器載置台４５を概略的に示した拡大上面図である。
【００３７】
なお、上述した図２及び図３では、底面パネル４は、２つの熱交換器載置台４５を有しているが、これに限られない。底面パネル４は、熱交換器１１の寸法又は形状等に応じて、１つの熱交換器載置台４５のみを有していてもよいし、３つ以上の熱交換器載置台４５を有していてもよい。例えば、熱交換器１１が、天面パネル３の側から見て、Ｌ字形状の熱交換器１１である場合、底面パネル４は、３つの熱交換器載置台４５で熱交換器１１を載置するように構成できる。また、底面パネル４は、１つ以上の熱交換器載置台４５と、熱交換器載置台４５と構成を異にする載置台とを用いて、熱交換器１１を載置するものであってもよい。
【００３８】
図４及び図５に示すように、熱交換器載置台４５は、底面部４０と側壁部５０との間に設けられている。例えば、熱交換器載置台４５は、底面部４０及び側壁部５０の塑性加工により、底面パネル４に一体形成されている。熱交換器載置台４５は、側壁部５０の面に接続された載置面４５ａと、底面部４０に接続された支持面４５ｂとを有している。熱交換器載置台４５は、載置面４５ａと支持面４５ｂとの間を連結する曲面４５ｃを有している。図４及び図５では、熱交換器載置台４５の構造の位置関係をより明確にすべく、曲面４５ｃの位置がドットパターンで概略的に示されている。
【００３９】
載置面４５ａは、熱交換器１１の下端部が載置される熱交換器載置台４５の上面部である。支持面４５ｂは、熱交換器１１の下端部が載置された載置面４５ａを支持する熱交換器載置台４５の側面部であり、載置面４５ａから底面部４０に向かって、載置面４５ａから離れる方向に傾斜している。
【００４０】
熱交換器載置台４５は、側壁部５０に沿って延在する第１排水溝４５ｄを有している。すなわち、第１排水溝４５ｄは、側壁部５０と熱交換器載置台４５との間を側壁部５０に沿って延在する凹部であり、熱交換器載置台４５の載置面４５ａに設けられている。第１排水溝４５ｄの端部４５ｄ１、４５ｄ２のうち、少なくとも一方は、支持面４５ｂを介して、ドレンパン部４９の排水路４９ｂと連通している。なお、第１排水溝４５ｄの底部４５ｄ３は、底面部４０に対して平行であってもよいし、底面部４０に設けられたドレンパン部４９に向かって傾斜していてもよい。第１排水溝４５ｄの底部４５ｄ３は、ドレンパン部４９に向かって傾斜させることにより、底面部４０に対して平行な場合と比較して、第１排水溝４５ｄにおける、ドレン水の排水性を向上させることができる。
【００４１】
また、熱交換器載置台４５は、第１排水溝４５ｄと連通し、側壁部５０から離れる方向に延在する第２排水溝４５ｅを有している。すなわち、第２排水溝４５ｅは、熱交換器載置台４５の載置面４５ａに設けられており、側壁部５０から離れる方向に延びて、熱交換器載置台４５の載置面４５ａを分割する凹部である。第２排水溝４５ｅの一方の端部４５ｅ１は、第１排水溝４５ｄと連通しており、第２排水溝４５ｅの他方の端部４５ｅ２は、支持面４５ｂを介して、ドレンパン部４９の排水路４９ｂと連通している。なお、図４及び図５では、第２排水溝４５ｅの幅Ｄは、第２排水溝４５ｅの一方の端部４５ｅ１と他方の端部４５ｅ２との間で同一幅となっている。
【００４２】
図６は、図５の熱交換器載置台４５のＡ−Ａ断面を概略的に示した断面図である。図５のＡ−Ａ断面は、底面パネル４の底面部４０に対し垂直な断面である。図６では、第１排水溝４５ｄ及び第２排水溝４５ｅの構造を説明する関係上、側壁部５０、熱交換器載置台４５の載置面４５ａ等の主要な構成のみを概略的に示している。また、図６では、ドレン水６０が点線で模式的に示されている。また、図６では、底面パネル４の底面部４０の断面と平行な直線Ｌ１が一点鎖線で示されており、第２排水溝４５ｅの底部４５ｅ３の断面の線分の延長線Ｌ２が二点鎖線で示されている。また、図６では、直線Ｌ１に対する延長線Ｌ２の角度は、底面部４０に対し垂直なＡ−Ａ断面における、底面部４０に対する第２排水溝４５ｅの底部４５ｅ３の傾斜角θを表している。
【００４３】
図６に示されるように、第２排水溝４５ｅの底部４５ｅ３は、側壁部５０から離れる方向において、底面部４０に向かって傾斜している。この構成によれば、第１排水溝４５ｄに滞留したドレン水６０は、熱交換器載置台４５の載置面４５ａに到達する前に、熱交換器載置台４５の第２排水溝４５ｅから排水される。したがって、上述の構成によれば、第１排水溝４５ｄにドレン水６０が滞留することを抑制でき、ドレン水６０が凍結した氷が、熱交換器載置台４５に形成されるのを防ぐことができる。以上のことから、上述の構成によれば、熱交換器１１の耐久性を確保可能な底面パネル４及び空気調和装置の室外機１００を提供できる。
【００４４】
また、図６に示すように、第２排水溝４５ｅから排水されたドレン水６０は、支持面４５ｂを介して、ドレンパン部４９の排水路４９ｂに排水できるため、底面パネル４及び空気調和装置の室外機１００の排水性能を向上させることができる。
【００４５】
また、底面部４０に対し垂直なＡ−Ａ断面における、底面部４０に対する第２排水溝４５ｅの底部４５ｅ３の傾斜角θは、空気調和装置の室外機１００の設置限界の傾斜面の角度より大きくすることができる。例えば、傾斜角θは５度よりも大きくすることができる。この構成によれば、熱交換器載置台４５の配置された方向が傾斜の下方向となった場合であっても、第２排水溝４５ｅの底部４５ｅ３は、水平面に対し、側壁部５０から離れる方向において、底面部４０に向かって傾斜している。よって、この構成によれば、第１排水溝４５ｄのドレン水６０は、熱交換器載置台４５の側壁部５０の側において、熱交換器載置台４５の載置面４５ａに到達する前に、熱交換器載置台４５の第２排水溝４５ｅから排水される。したがって、上述の構成によれば、空気調和装置の室外機１００が傾斜面に設置された場合であっても、第１排水溝４５ｄにドレン水６０が滞留することを抑制できるため、ドレン水６０が凍結した氷が、熱交換器載置台４５に形成されるのを防ぐことができる。以上のことから、上述の構成によれば、熱交換器１１の耐久性が更に向上した底面パネル４及び空気調和装置の室外機１００を提供できる。
【００４６】
図７は、図５の熱交換器載置台４５のＡ−Ａ断面の変形例を概略的に示した断面図である。図７では、底面部４０に対し垂直なＡ−Ａ断面において、第１排水溝４５ｄの底部４５ｄ３は、第２排水溝４５ｅの底部４５ｅ３と同一直線上に配置されている。その他の構成は、図６と同一であるため、説明は省略する。
【００４７】
上述の構成によれば、底面部４０に対し垂直な断面において、第１排水溝４５ｄの底部４５ｄ３は、第２排水溝４５ｅの底部４５ｅ３と平滑に連結されるため、第１排水溝４５ｄに滞留するドレン水６０の量を更に低減することができる。したがって、上述の構成によれば、第１排水溝４５ｄにドレン水６０が滞留することを更に抑制できるため、ドレン水６０が凍結した氷が、熱交換器載置台４５に形成されるのをより良好に防ぐことができる。以上のことから、上述の構成によれば、熱交換器１１の耐久性が更に向上した底面パネル４及び空気調和装置の室外機１００を提供できる。
【００４８】
実施の形態２．
本発明の実施の形態２に係る底面パネル４における熱交換器載置台４５の構造を図８及び図９を用いて説明する。図８は、本実施の形態２に係る底面パネル４における熱交換器載置台４５の構造を概略的に示した拡大斜視図である。図９は、本実施の形態２に係る底面パネル４における熱交換器載置台４５の構造を概略的に示した拡大上面図である。
【００４９】
図８及び図９に示すように、本実施の形態２の熱交換器載置台４５では、第２排水溝４５ｅの幅Ｄは、側壁部５０から離れる方向に向けて大きくなっている。すなわち、第２排水溝４５ｅの出口側の端部４５ｅ２の幅Ｄ２は、第２排水溝４５ｅの入口側の端部４５ｅ１の幅Ｄ１より大きくなっている。また、第２排水溝４５ｅの幅Ｄは、第２排水溝４５ｅの入口側の一方の端部４５ｅ１から出口側の他方の端部４５ｅ２に向けて漸次的に大きくなっている。なお、図８及び図９では、第２排水溝４５ｅの側部４５ｅ４、４５ｅ５の形状は、平面形状となっているが、第２排水溝４５ｅの方向に突出した曲面形状であってもよい。熱交換器載置台４５の他の構成については、上述の実施の形態１と同一であるため説明を省略する。
【００５０】
上述の構成によれば、空気調和装置の室外機１００が傾斜面に設置され、第２排水溝４５ｅの幅方向に傾いた場合であっても、第２排水溝４５ｅの側部４５ｅ４、４５ｅ５のいずれかの面は、側壁部５０から離れる方向に傾斜する。したがって、上述の構成によれば、第２排水溝４５ｅにドレン水が滞留することも抑制できるため、ドレン水が凍結した氷が、熱交換器載置台４５に形成されるのをより良好に防ぐことができる。以上のことから、上述の構成によれば、熱交換器１１の耐久性が更に向上した底面パネル４及び空気調和装置の室外機１００を提供できる。
【００５１】
なお、本実施の形態２の熱交換器載置台４５の構成は、上述の実施の形態１の変形例における熱交換器載置台４５の構成と組み合わせることもできる。
【符号の説明】
【００５２】
１  前面パネル、１ａ  第１側面部、１ａ１  排気口、１ａ３  グリル、１ａ４  ベルマウス、１ａ５  係合爪、１ｂ  第２側面部、１ｂ１  通気口、２  側面パネル、２ａ  第３側面部、２ａ１  係合穴、２ｂ  第４側面部、３  天面パネル、４  底面パネル、５  仕切板、５ａ  通気口、６  送風機室、７  機械室、８  保護カバー、９  脚部、９ａ  取付穴、１１  熱交換器、１３  送風ファン、１５  モータ、１７  モータ取付台、１９  圧縮機、２１  冷媒配管、２３  電気品箱、４０  底面部、４３  圧縮機取付台、４５  熱交換器載置台、４５ａ  載置面、４５ｂ  支持面、４５ｃ  曲面、４５ｄ  第１排水溝、４５ｄ１  端部、４５ｄ２  端部、４５ｄ３  底部、４５ｅ  第２排水溝、４５ｅ１  端部、４５ｅ２  端部、４５ｅ３  底部、４５ｅ４  側部、４５ｅ５  側部、４７  モータ取付台支持部、４９  ドレンパン部、４９ａ  排水穴、４９ｂ  排水路、５０  側壁部、５０ａ  ネジ穴、６０  ドレン水、１００  室外機。
【図１】
2020157959.tif 000003
【図２】
2020157959.tif 000004
【図３】
2020157959.tif 000005
【図４】
2020157959.tif 000006
【図５】
2020157959.tif 000007
【図６】
2020157959.tif 000008
【図７】
2020157959.tif 000009
【図８】
2020157959.tif 000010
【図９】
2020157959.tif 000011
【手続補正書】
【提出日】令和3年1月12日(2021.1.12)
【手続補正１】
【補正対象書類名】明細書
【補正対象項目名】０００６
【補正方法】変更
【補正の内容】
【０００６】
本発明の底面パネルは、空気調和装置の室外機の底面パネルであって、前記室外機の下面を構成する底面部と、前記底面部の周縁部から前記底面部と交差する方向に延びる側壁部と、前記底面部と前記側壁部とに接続された熱交換器載置台とを備え、前記熱交換器載置台は、前記側壁部に沿って延在する第１排水溝と、前記第１排水溝と連通し、前記側壁部から離れる方向に延在する第２排水溝とを有し、前記第２排水溝の底部は、前記側壁部から離れる方向である、前記第１排水溝と連通する前記第２排水溝の入口側の端部から前記第２排水溝の出口側の端部に向かう方向において、前記底面部に向かって傾斜しており、前記第２排水溝の底部の幅は、前記入口側の端部から前記出口側の端部に向けて漸次的に大きくなる。
【手続補正２】
【補正対象書類名】特許請求の範囲
【補正対象項目名】全文
【補正方法】変更
【補正の内容】
【特許請求の範囲】
【請求項１】
空気調和装置の室外機の底面パネルであって、
前記室外機の下面を構成する底面部と、
前記底面部の周縁部から前記底面部と交差する方向に延びる側壁部と、
前記底面部と前記側壁部とに接続された熱交換器載置台と
を備え、
前記熱交換器載置台は、
前記側壁部に沿って延在する第１排水溝と、
前記第１排水溝と連通し、前記側壁部から離れる方向に延在する第２排水溝と
を有し、
前記第２排水溝の底部は、前記側壁部から離れる方向である、前記第１排水溝と連通する前記第２排水溝の入口側の端部から前記第２排水溝の出口側の端部に向かう方向において、前記底面部に向かって傾斜しており、
前記第２排水溝の底部の幅は、前記入口側の端部から前記出口側の端部に向けて漸次的に大きくなる
底面パネル。
【請求項２】
前記底面部に対し垂直な断面における、前記底面部に対する前記第２排水溝の底部の傾斜角は、５度より大きい
請求項１に記載の底面パネル。
【請求項３】
前記底面部を貫通した排水穴と、
前記底面部のうち、前記熱交換器載置台の周囲に形成され、前記排水穴の方向に傾斜し、前記第１排水溝及び前記第２排水溝と連通した排水路と
を有するドレンパン部を備えた
請求項１又は２に記載の底面パネル。
【請求項４】
請求項１〜３のいずれか一項に記載の底面パネルと、
前記底面パネルの前記熱交換器載置台に載置された熱交換器と
を備えた
空気調和装置の室外機。
【国際調査報告】
2020157959.tif 000012
2020157959.tif 000013
2020157959.tif 000014